(57)【要約】      （修正有）【課題】占有スペースが非常に小さく、個人所有に適した腕力強化用トレーニング装置を提供する。【解決手段】トレーニング装置１は、板状のベース部材２と、ベース部材２の上面に取り付けられた少なくとも１つの軸受３１と、少なくとも１つの軸受３１に回転自在に支持された軸体４と、軸体４の一端に取り付けられており、使用者によって把持されるレバー５と、軸体４の他端に取り付けられたアーム部材と、少なくとも１つのガススプリング７ａと、ガススプリング７ａの各々の一端が回転自在に取り付けられる支持部材８とを備えている。ガススプリング７ａの各々の他端は、アーム部材に回転自在に取り付けられる。支持部材８は、第１位置と第２位置にて選択的に着脱自在にベース部材２に取り付け可能であり、第２位置は、軸体４に対して第１位置とは反対側にある。【選択図】図１
0003206326.tif 000002
【実用新案登録請求の範囲】
【請求項１】
板状のベース部材と、
前記ベース部材の上面に取り付けられた少なくとも１つの軸受と、
前記少なくとも１つの軸受に回転自在に支持された軸体と、
前記軸体の一端に取り付けられており、使用者によって把持されるレバーと、
前記軸体の他端に取り付けられたアーム部材と、
少なくとも１つのガススプリングと、
前記少なくとも１つのガススプリングの各々の一端が回転自在に取り付けられる支持部材と、
を備えており、
前記少なくとも１つのガススプリングの各々の他端は、前記アーム部材に回転自在に取り付けられ、
前記支持部材は、第１位置と第２位置にて選択的に着脱自在に前記ベース部材に取り付け可能であり、
前記第２位置は、前記軸体に対して前記第１位置とは反対側にある、腕力強化用トレーニング装置。
【請求項２】
前記アーム部材における前記軸体の他端の固定位置は、前記アーム部材の長手方向に沿って変更可能である、請求項１に記載の腕力強化用トレーニング装置。
【請求項３】
前記ベース部材には、前記軸体の他端の下側の領域にて切欠き又は開口が形成されている、請求項１又は請求項２に記載の腕力強化用トレーニング装置。
【請求項４】
前記少なくとも１つのガススプリングは、複数のガススプリングを含んでおり、装着されるガススプリングの数を１乃至前記複数の間で選択できる、請求項１乃至３の何れかに記載の腕力強化用トレーニング装置。
【請求項５】
前記少なくとも１つのガススプリングは、工具を用いることなく着脱自在に構成された少なくとも１つのガススプリングを含む、請求項１乃至４の何れかに記載の腕力強化用トレーニング装置。
【請求項６】
前記少なくとも１つのガススプリングは、ピストンロッドに規制部材が取り付けられたガススプリングを含んでおり、そのガススプリングのシリンダに前記ピストンロッドが所定距離だけ入り込むと、前記規制部材が前記シリンダの端部と当接する、請求項１乃至５の何れかに記載の腕力強化用トレーニング装置。
【請求項７】
前記ベース部材の上面に着脱自在に立設される略円筒状の一対のグリップ部材を更に備えており、
前記一対のグリップ部材は、前記軸体の一端側にて互いに離間して立設可能であり、
前記一対のグリップ部材は、前記軸体の他端側にて前記ベース部材の縁に近接して、且つ互いに離間して立設可能である、請求項１乃至６の何れかに記載の腕力強化用トレーニング装置。
【請求項８】
前記レバーは、前記軸体の回転軸に垂直な回転軸回りで回動自在に前記軸体の一端に取り付けられており、
前記レバーは、前記軸体に対して略垂直な位置と、前記軸体と同一直線上に配置された位置との間で配置可能である、請求項１乃至７の何れかに記載の腕力強化用トレーニング装置。
【考案の詳細な説明】
【技術分野】
【０００１】
本考案は、人の腕力を強化するために使用される腕力強化用トレーニング装置に関する。
【背景技術】
【０００２】
主として腕相撲の競技者を対象としており、人の腕力を強化するために使用される腕力強化用トレーニング装置については、各種の装置が提案されている。
【０００３】
例えば、特開２００２−１７８９１号公報に記載のアームレスリング用筋力強化器具は、フレームと、当該フレームに揺動自在に設けられた力伝達レバーと、ワイヤを介して力伝達レバーと繋がれたウエイト機構と、ワイヤを案内する滑車等とを備えている（特許文献１）。
【０００４】
また、実開昭６３−１５１１６５号公報に記載の筋力トレーニング器具は、鉛直方向に沿って設けられたレールに案内されて上下に移動自在に構成された重りと、ロープを介して重りと繋がれたにぎり棒と、ロープを案内するガイドローラと、使用者がその肘を載せるひじ乗せ台等とを備えている（特許文献２）。
【先行技術文献】
【特許文献】
【０００５】
【特許文献１】特開２００２−１７８９１号公報
【特許文献２】実開昭６３−１５１１６５号公報
【考案の概要】
【考案が解決しようとする課題】
【０００６】
特許文献１に記載のアームレスリング用筋力強化器具や特許文献２に記載の筋力トレーニング器具は、かなり大きな装置であって、個人が所有するのには適していない。故に、腕相撲の競技者等が、腕力を強化するためにこれらの装置を利用する場合には、設置してあるトレーニングジム等の施設にわざわざ出向く必要があった。
【０００７】
本考案は、上記の課題を解決するものであって、従来装置と比較して占有スペースが非常に小さく、個人所有に適した腕力強化用トレーニング装置を提供する。
【課題を解決するための手段】
【０００８】
本考案の腕力強化用トレーニング装置は、板状のベース部材と、前記ベース部材の上面に取り付けられた少なくとも１つの軸受と、前記少なくとも１つの軸受に回転自在に支持された軸体と、前記軸体の一端に取り付けられており、使用者によって把持されるレバーと、前記軸体の他端に取り付けられたアーム部材と、少なくとも１つのガススプリングと、前記少なくとも１つのガススプリングの各々の一端が回転自在に取り付けられる支持部材と、を備えており、前記少なくとも１つのガススプリングの各々の他端は、前記アーム部材に回転自在に取り付けられ、前記支持部材は、第１位置と第２位置にて選択的に着脱自在に前記ベース部材に取り付け可能であり、前記第２位置は、前記軸体に対して前記第１位置とは反対側にある。
【０００９】
本考案の腕力強化用トレーニング装置では、前記アーム部材における前記軸体の他端の固定位置は、前記アーム部材の長手方向に沿って変更可能であってよい。
【００１０】
本考案の腕力強化用トレーニング装置では、前記ベース部材には、前記軸体の他端の下側の領域にて切欠き又は開口が形成されてよい。
【００１１】
本考案の腕力強化用トレーニング装置では、前記少なくとも１つのガススプリングは、複数のガススプリングを含んでおり、装着されるガススプリングの数を１乃至前記複数の間で選択できてよい。
【００１２】
本考案の腕力強化用トレーニング装置では、前記少なくとも１つのガススプリングは、工具を用いることなく着脱自在に構成された少なくとも１つのガススプリングを含んでよい。
【００１３】
本考案の腕力強化用トレーニング装置では、前記少なくとも１つのガススプリングは、ピストンロッドに規制部材が取り付けられたガススプリングを含んでおり、そのガススプリングのシリンダに前記ピストンロッドが所定距離だけ入り込むと、前記規制部材が前記シリンダの端部と当接してよい。
【００１４】
本考案の腕力強化用トレーニング装置では、前記ベース部材の上面に着脱自在に立設される一対のグリップ部材を更に備えており、前記一対のグリップ部材は、前記軸体の一端側にて互いに離間して立設可能であり、前記一対のグリップ部材は、前記軸体の他端側にて前記ベース部材の縁に近接して、且つ互いに離間して立設可能であってよい。
【００１５】
本考案の腕力強化用トレーニング装置では、前記レバーは、前記軸体の回転軸に垂直な回転軸回りで回動自在に前記軸体の一端に取り付けられており、前記レバーは、前記レバーは、前記軸体に対して略垂直な位置と、前記軸体と同一直線上に配置された位置との間に配置可能であってよい。
【考案の効果】
【００１６】
本考案は、使用者の腕の動作に負荷を与える手段としてガススプリングを用いることで、従来の腕力強化用トレーニング装置と比較して占有空間が著しく低減されており、持ち運びや不使用時の収納が容易に行える腕力強化用トレーニング装置を実現している。
【図面の簡単な説明】
【００１７】
【図１】本考案の実施形態である腕力強化用トレーニング装置の正面図である。
【図２】本考案の実施形態である腕力強化用トレーニング装置の背面図である。
【図３】本考案の実施形態である腕力強化用トレーニング装置の側面図である。
【図４】本考案の実施形態である腕力強化用トレーニング装置の平面図である。
【図５】本考案の実施形態である腕力強化用トレーニング装置の背面図であり、一部の部品が取り外された状態を示している。
【図６】図４の一部を拡大した平面図である。
【図７】図６に示された腕力強化用トレーニング装置の一部を分解した状態を示す説明図である。
【図８】本考案の実施形態である腕力強化用トレーニング装置の背面図であって、使用者によりレバーが回転された状態を示している。
【図９】本考案の実施形態である腕力強化用トレーニング装置の背面図であって、使用者が左腕の腕力を強化するために使用する場合の形態を示している。
【図１０】図５と同様な平面図であって、本考案の実施形態である腕力強化用トレーニング装置に装着されるガススプリングの数が１つである状態を示している。
【図１１】図５と同様な平面図であって、本考案の実施形態である腕力強化用トレーニング装置に装着されるガススプリングの数が２つである状態を示している。
【図１２】本考案の実施形態である腕力強化用トレーニング装置の側面図であって、収納時における腕力強化用トレーニング装置の形態を示している。
【考案を実施するための形態】
【００１８】
以下、本考案の腕力強化用トレーニング装置を図を参照しつつ説明する。図１乃至図４は夫々、本考案の一実施形態である腕力強化用トレーニング装置（以下、「トレーニング装置」と称する）１の正面図、背面図、側面図及び平面図である。
【００１９】
トレーニング装置１は、使用者がその腕力を強化するトレーニングを行うために使用される。トレーニング装置１の典型的な使用者としては腕相撲の競技者が考えられるが、トレーニング装置１の用途は、このような競技者のトレーニングに限定されず、例えば、患者の腕力を回復させるリハビリテーションを行うために医療機関等において使用されてもよい。
【００２０】
トレーニング装置１は、板状のベース部材２と、ベース部材２の上面に取り付けられた２つの軸受アセンブリ３ａ−ｂと、これら軸受アセンブリ３ａ−ｂに回転自在に支持された軸体４と、軸体４の一端に取り付けられたレバー５と、軸体４の他端に取り付けられたアーム部材６と、アーム部材６と連結された３つのガススプリング７ａ−ｃと、３つのガススプリング７ａ−ｃの各々の一端が回転自在に取り付けられる支持部材８とを備えている。なお、図１乃至図４に示すトレーニング装置１の形態は、使用者がトレーニング装置１を用いて右腕の腕力を強化するトレーニングを行う場合のものである。
【００２１】
ベース部材２は、例えば、木製や合成樹脂製の厚板で構成される。ベース部材２の材質は、本考案において限定されないが、トレーニング装置１の重量を考慮すると、鉄等の重い金属は避けた方が好ましいであろう。本実施形態では、ベース部材２は略矩形に形成されているが、本考案において、ベース部材２の形状は略矩形又は矩形に限定されず、本考案の作用効果が得られる限りにおいて、ベース部材２は如何なる形状を有してよい。
【００２２】
軸受アセンブリ３ａ−ｂの各々は、軸受３１と、軸受３１を囲うハウジング部材３２とを備えている。ハウジング部材３２には、側方に延出する一対の延出部３３が形成されており、これら延出部３３が、ベース部材２の上面に固定された取付板２１に（図示を省略したねじにより）ねじ止めされることで、軸受アセンブリ３ａ−ｂの各々は、ベース部材２の上面に取り付けられている。軸受アセンブリ３ａ−ｂは、それらの軸受３１の軸受中心軸が、ベース部材２の上面と平行な同一直線上に位置するように配置される。なお、本実施形態では、２つの軸受アセンブリ３ａ−ｂがベース部材２に設けられているが、本考案において、軸体を支持する軸受又は軸受アセンブリの数は限定されず、例えば、１つであってもよい。
【００２３】
ベース部材２の長手方向に沿った一方の縁部２２には、切欠き２３が形成されている。切欠き２２は、ベース部材２の短手方向に沿った平行な２つの縁部２４から均等に離間するように形成されている。取付板２１は、切欠き２３に隣接するように配置されている。
【００２４】
軸受アセンブリ３ａ−ｂの各々の軸受３１には、円柱状の軸体４が挿入されており、軸体４は、これら軸受３１により回転自在に支持されている。切欠き２３とは反対側にある軸体４の一端の端面からは、凸部４１が突出している。レバー５は、円柱棒状の本体５１と本体５１が挿入される円筒状のクッション部材５２とを備えている。本体５１の下端は、凹状に割れており（図１参照）、軸体４の凸部４１に挿入され、且つ枢支ねじ５３により回動自在に凸部４１に取り付けられることで、レバー５は、軸体４の回転軸に垂直な回転軸回りで回動自在に設けられている。クッション部材５２は、例えば、ウレタン等の可撓性を有する樹脂で形成されており、使用者が腕力トレーニングを行う方の手によって把持される。
【００２５】
枢支ねじ５３は、凸部４１に開設された孔（図示せず）に挿入されると共に、本体５１の凹状の下端に形成された２つの孔（図示せず）にも挿入される。本体５１の下端に形成された孔の内面には、枢支ねじ５３と螺合する内ねじが形成されている。枢支ねじ５３には、スプリングワッシャ５４が挿入されており、スプリングワッシャ５４は、枢支ねじ５３の頭部と本体５１の下端との間に配置される。枢支ねじ５３を適度に締め付けることで、レバー５を、軸体４の回転軸に垂直な回転軸回りで回動可能とする一方で、軸体４に対して略垂直な姿勢（図３参照）と、軸体４と同一直線上に配置された姿勢（図１２参照）との間の任意の姿勢に、レバー５を保つことが可能とされている。
【００２６】
レバー５とは反対側にある軸体４の端には、アーム部材６が取り付けられている。アーム部材６は、細長い板状の部材であって、その長手方向に沿って長孔６１が開設されている。軸体４の他端の端面からは、長孔６１に嵌められる凸部４２が突出しており、凸部４２の端面にはねじ孔４３が形成されている（図５参照）。ねじ付きノブ４４を、ワッシャ（図示せず）を挿入してねじ孔４３に螺合させることで、アーム部材６は、軸体４の端面とねじ付きノブ４４（或いはワッシャ）との間で挟持される（ねじ付きノブ４４とワッシャは、図７に示したねじ付きノブ６７及びワッシャ６４ｂと同様なものであってよい）。図５は、ねじ付きノブ４４及びワッシャを取り外した状態を示す背面図である。
【００２７】
アーム部材６における軸体４の他端の凸部４２の固定位置は、アーム部材４の長手方向に沿って変更可能である。つまり、アーム部材６の長孔６１に沿って、軸体４の凸部４２の位置は変更可能であって、軸体４の凸部４２が長孔６１に嵌まった状態で、アーム部材６をその長手方向に沿って摺動させて、所望の位置にてねじ付きノブ４４を用いてアーム部材６の位置を固定することができる。
【００２８】
アーム部材６は、軸体４の凸部４２が長孔６１を規定するアーム部材６内面の上側領域に当たる状態と、軸体４の凸部４２が当該内面の下側領域に当たる状態との間で長手方向に沿って摺動可能である。なお、軸体４の他端の下側の領域にてベース部材２に切欠き２３が形成されていることで、ベース部材２とアーム部材６との干渉が避けられている。なお、軸体４の凸部４２が長孔６１を規定するアーム部材６内面の上側領域に当たる状態、つまり、アーム部材６が最も下げられた状態において、アーム部材６がベース部材２の下面から突出しないように構成されるのが好ましい。
【００２９】
図６は、図４の一部を拡大した平面図である。図７は、図６に示されたトレーニング装置１の一部を分解した状態を示す説明図である。トレーニング装置１は、使用者の腕の運動に負荷を与える手段として、３つのガススプリング７ａ−ｃを備えている。ガススプリング７ａ−ｃの一端は、アーム部材６に回動自在に取り付けられている。より具体的には、ガススプリング７ａ−ｃのピストンロッド７１の一端には、開口（図示せず）が開設されたブラケット７２が固定されており、これらブラケット７２の開口には、アーム部材６の上部に設けられた円柱状の軸体６２が挿入される。軸体６２は、アーム部材６を貫通するように配置及び固定されており、アーム部材６の外向きの主面から突出する軸体６２の第１部分は、アーム部材６の内向きの主面から突出する軸体６２の第２部分よりも長くなっている。
【００３０】
軸体６２の両端面には、ねじ孔（図示せず）が形成されている。ガススプリング７ａのブラケット７２の開口には、軸体６２の第２部分が挿入される。アーム部材６とブラケット７２の間には、（軸体６２の第２部分に挿入された）環状の緩衝部材６３ａが介挿される。軸体６２の第２部分の端面に形成されたねじ孔には、ワッシャ６４ａが挿入されたねじ６５が螺合する。ワッシャ６４ａとブラケット７２の間には、（軸体６２の第２部分に挿入された）環状の緩衝部材６３ｂが介挿される。緩衝部材６３ａ及び緩衝部材６３ｂは、ナイロン等の可撓性を有する樹脂で形成されている（後述する緩衝部材６３ｃ−ｄ、緩衝部材８４ａ−ｄについても同様）。
【００３１】
ガススプリング７ｂ−ｃのブラケット７２の開口には、軸体６２の第１部分が挿入される。アーム部材６とガススプリング７ｂのブラケット７２の間には、（軸体６２の第１部分に挿入された）環状の緩衝部材６３ｃが介挿される。ガススプリング７ｂのブラケット７２とガススプリング７ｃのブラケット７２の間には、（軸体６２の第１部分に挿入された）スペーサ６６が介挿される。スペーサ６６は、ガススプリング７ｂとガススプリング７ｃとの間に間隔を確保するために配置されている（後述するスペーサ８７も同様）。軸体６２の第１部分の端面に形成されたねじ孔には、ワッシャ６４ｂが挿入されたねじ付きノブ６７が螺合する。ワッシャ６４ｂとガススプリング７ｃのブラケット７２の間には、（軸体６２の第１部分に挿入された）環状の緩衝部材６３ｄが介挿される。
【００３２】
ガススプリング７ａ−ｃの他端は、支持部材８に回動自在に取り付けられている。より具体的には、ガススプリング７ａ−ｃのシリンダ７３の一端には、開口（図示せず）が開設されたブラケット７４が固定されており、これらブラケット７４の開口には、支持部材８に設けられた円柱状の軸体８１が挿入される。支持部材８は、板状の基部８２と、基部８に対して垂直に延出する延出部８３とを備えており、軸体８１は、延出部８３を貫通するように配置及び固定される。延出部８３の外向きの主面から突出する軸体８１の第１部分は、延出部８３の内向きの主面から突出する軸体８１の第２部分よりも長くなっている。
【００３３】
軸体８１の両端面には、ねじ孔（図示せず）が形成されている。ガススプリング７ａのブラケット７４の開口には、軸体８１の第２部分が挿入される。支持部材８の延出部８３とブラケット７４の間には、（軸体８１の第２部分に挿入された）環状の緩衝部材８４ａが介挿される。軸体８１の第２部分の端面に形成されたねじ孔には、ワッシャ８５ａが挿入されたねじ８６が螺合する。ワッシャ８５ａとブラケット７４の間には、（軸体８１の第２部分に挿入された）環状の緩衝部材８４ｂが介挿される。
【００３４】
ガススプリング７ｂ−ｃのブラケット７４の開口には、軸体８１の第１部分が挿入される。支持部材８の延出部８３とガススプリング７ｂのブラケット７４の間には、（軸体８１の第１部分に挿入された）環状の緩衝部材８４ｃが介挿される。ガススプリング７ｂのブラケット７４とガススプリング７ｃのブラケット７４の間には、（軸体８１の第１部分に挿入された）スペーサ８７が介挿される。軸体８１の第１部分の端面に形成されたねじ孔には、ワッシャ８５ｂが挿入されたねじ付きノブ８８が螺合する。ワッシャ８５ｂとガススプリング７ｃのブラケット７４の間には、（軸体８１の第１部分に挿入された）環状の緩衝部材８４ｄが介挿される。
【００３５】
支持部材８は、ベース部材２に着脱自在に取り付けられている。具体的には、ベース部材２の上面には、支持部材８の基部８２が載置される板状の第１台座２５ａが固定されており、第１台座２５ａの上面には、棒状のねじ部２６ａが立設されている。支持部材８の基部８２には、開口８９が開設されており、支持部材８は、基部８２の開口８９にねじ部２６ａが通された状態で、第１台座２５ａに載置される。基部８２には、切欠きが形成された押さえ部材９１が配置され、押さえ部材９１の切欠きには、ねじ部２６ａが挿入される。ねじ部２６ａには、クランプレバー９２が取り付けられる。クランプレバー９２には、ねじ部２６ａが螺合する内ねじが形成された円筒部が設けられており、当該円筒部の上部には、レバーの一端が回動自在に枢支されている。クランプレバー９２をねじ部２６ａと螺合させて締め込むことで、基部８２上に配置された押さえ部材９１が、クランプレバー９２によって押圧される。これにより、支持部材８が、第１台座２５ａ上に固定される。
【００３６】
図１乃至図４等に示すように、板状のベース部材２の各縁部２４の付近には、略円筒状のグリップ部材２７ａ−ｂが立設されている。グリップ部材２７ａ−ｂは、レバー５が設けられた軸体４の一端側にて、各縁部２４の略中央付近に配置されている。図２に示すトレーニング装置１の背面図において、右側に位置するグリップ部材２７ａは、（例えば右利きの）使用者が、トレーニング装置１を用いて右腕の腕力を強化するトレーニングを行う場合に、使用者の左手によって把持される。図２において左側に位置するグリップ部材２７ｂは、（例えば左利きの）使用者が、トレーニング装置１を用いて左腕の腕力を強化するトレーニングを行う場合に、使用者の右手によって把持される。
【００３７】
使用者がトレーニング装置１を用いてトレーニングを行う場合、まず、適切な高さの台（図示せず）の上にトレーニング装置１が置かれる。この台は、床や地面から適切な高さにトレーニング装置１を配置できるものであればよく、例えば、一般家庭にあるダイニングテーブルやサイドテーブルが使用されてよい。
【００３８】
図１乃至図６に示すトレーニング装置１の形態は、トレーニング装置１を用いて右腕の腕力を強化するトレーニングを行う場合のものである。使用者は、台座の上に（図１乃至図６に示す形態の）トレーニング装置１を載置した後、レバー４と正対するようにトレーニング装置１の正面側に身を置く。そして、使用者は、グリップ部材２７ａを左手で把持すると共に、右腕を屈曲させて肘をベース部材２の上面に置いた状態で、レバー５（のクッション部材５２）を右手で把持する。そして、使用者は、ガススプリング７ａ−ｃ側にレバー５を倒す又は回転させるように右腕に力を加える。
【００３９】
使用者がレバー５を倒すように右腕に力を加えると、その力は軸体４に伝わり、軸体４は、ガススプリング７ａ−ｃ側にアーム部材６を倒すように回転する。これにより、ガススプリング７ａ−ｃのピストンロッド７１がシリンダ７３側に押されて収縮する。ピストンロッド７１が収縮することで、ガススプリング７ａ−ｃのピストンロッド７１に反発力が生じる。当該反発力がアーム部材６、軸体４、レバー５を介して使用者の右腕に伝わる。このようにして、レバー５を倒す使用者の右腕の動作に負荷が加わる。使用者が右腕に力を加えるのを止めると、反発力によりピストンロッド７１は元の位置に戻る。レバー５を倒す動作を繰り返し行うことで、使用者の右腕の腕力の強化が図られる。
【００４０】
図８は、トレーニング装置１の背面図であって、図２に示す状態からガススプリング７ａ−ｃ側にレバー５が倒された状態を示している。ガススプリング７ａのピストンロッド７１には円筒状の規制部材７５が固定されており、ピストンロッド７１が所定距離だけシリンダ７３に入り込むと、規制部材７５がガススプリング７ａのシリンダ７３の端部と当接することで、さらなるレバー５の回転が制限される。
【００４１】
ガススプリング７ａ−ｃのピストンロッド７１に加わる反発力は、ピストンロッド７１のストロークに比例するが、ピストンロッド７１の最小長付近では、反発力がストロークに比例しないことが起こり得る。故に、ガススプリング７ａのピストンロッド７１における規制部材７５の固定位置は、反発力とストロークとの比例関係が満たされる範囲内でレバー５が可動するように決定されるのが好ましい。
【００４２】
使用者の右腕の腕力を強化するトレーニングはトレーニング装置１を用いて上述したように行われるが、トレーニング装置１は、使用者の左腕の腕力を強化するトレーニングにも使用できる。図９は、使用者が左腕の腕力を強化するために使用する場合の形態を示すトレーニング装置１の背面図である。図９に示す形態における支持部材８の位置は、軸体４に対して、図１等に示す形態における支持部材８の位置とは反対側にある。図１乃至図６に示した形態から図９に示す形態へのトレーニング装置１の変更は、以下のようにして行う。
【００４３】
まず、図１乃至図６に示した形態において、クランプレバー９２が緩められて、クランプレバー９２と第１台座２５ａのねじ部２６ａとの螺合状態が解除されて、押さえ部材９１が取り外される。その後、ガススプリング７ａ−ｃをアーム部材６の軸体６１回りで回転させて、支持部材８の基部８２の開口８９から第１台座２５ａのねじ部２６ａが抜かれる。ベース部材２には、ねじ部２６ｂを備えており、第１台座２５ａと同様な構成を有する第２台座２５ｂが固定されている（図４参照）。第２台座２５ｂの場所は、軸体４に対して第１台座２５ａの反対側にあり、より厳密には、第２台座２５ｂは、ベース部材２の上面に対して垂直であって軸体４の回転中心軸Ｘを含む面に対して第１台座２５ａと鏡像対称な位置に配置されている。
【００４４】
ガススプリング７ａ−ｃをアーム部材６の軸体６１回りで回転させると共に、支持部材８をその軸体８１回りで回転させることで、支持部材８の基部８２が下側に向いた状態で、ガススプリング７ａ−ｃのシリンダ７３側が第２台座２５ｂのねじ部２６ｂへと接近する。そして、基部８２の開口８９に第２台座２５ｂのねじ部２６ｂが挿入された状態で、支持部材８が第２台座２５ｂに置かれる。その後、支持部材８の基部８２上に押さえ部材９１が配置される。押さえ部材９１の切欠きには、ねじ部２６ｂが挿入される。その後、クランプレバー９２をねじ部２６ｂと螺合させて締め付けることで、第２台座２５ｂへの支持部材８の固定が完了し、トレーニング装置１は、図９に示す左腕の腕力強化を行う場合の形態に至る。
【００４５】
上述したように、アーム部材６における軸体４の凸部４２の固定位置は、長孔６１に沿って変更可能である。アーム部材６における軸体４の凸部４２の固定位置に応じて、使用者がレバー５を倒すのに要する力は異なる。凸部４２が長孔６１を規定するアーム部材６内面の上側領域に当接している場合、使用者がレバー５を倒すのに要する力は最も小さくなる（図５参照）。凸部４２が長孔６１を規定するアーム部材６内壁の下側領域に当接している場合、使用者がレバー５を倒すのに要する力は最も大きくなる。使用者は、アーム部材６における軸体４の凸部４２の固定位置を適宜変更することで、トレーニングの負荷を調整することができる。
【００４６】
本実施形態のトレーニング装置１は、３つのガススプリング７ａ−ｃを備えているが、２つのガススプリング７ｂ−ｃについては、工具を用いることなく着脱自在に構成されている。つまり、使用者が手でねじ付きノブ６７及びねじ付きノブ６７を回転させて取り外すことで、ガススプリング７ｂ−ｃを容易に取り外すことができる。
【００４７】
トレーニング装置１は、上述した形態に加えて、ガススプリング７ａのみが装着されている形態でも、さらには、ガススプリング７ａに加えてガススプリング７ｂが装着されている形態でも使用することが可能である。使用者は、トレーニング装置１に装着されるガススプリング７ａ−ｃの数を選択することでも、トレーニングの負荷を調整することができる。
【００４８】
図１０は、ガススプリング７ａのみが装着されている形態のトレーニング装置１を示す図６に相当する平面図である。当該形態では、ガススプリング７ｂ−ｃのブラケット７２と、緩衝部材６３ｃと、スペーサ６６との代わりに、トレーニング装置１の付属品として提供されるスペーサ６６’がアーム部材６の軸体６２に挿入されている。スペーサ６６’の長さは、ガススプリング７ｂ−ｃのブラケット７２、緩衝部材６３ｃ、及びスペーサ６６の（軸体６２に沿った）長さの合計に一致又はほぼ一致している。
【００４９】
また、ガススプリング７ｂ−ｃのブラケット７４と、緩衝部材８４ｃと、スペーサ８７との代わりに、トレーニング装置１の付属品として提供されるスペーサ８７’が支持部材８の軸体８１に挿入されている。スペーサ８７’の長さは、ガススプリング７ｂ−ｃのブラケット７４、緩衝部材８４ｃ、及びスペーサ８７の（軸体８１に沿った）長さの合計に一致又はほぼ一致している。
【００５０】
図１１は、ガススプリング７ａ−ｂが装着されている形態のトレーニング装置１を示す図６に相当する平面図である。当該形態では、ガススプリング７ｃのブラケット７２と、スペーサ６６との代わりに、付属品として提供されるスペーサ６６’’がアーム部材６の軸体６２に挿入されている。スペーサ６６’’の長さは、ガススプリング７ｃのブラケット７２及びスペーサ６６の（軸体６２に沿った）長さの合計に一致又はほぼ一致している。
【００５１】
また、ガススプリング７ｃのブラケット７４と、スペーサ８７との代わりに、スペーサ８７’’が支持部材８の軸体８１に挿入されている。付属品として提供されるスペーサ８７’’の長さは、ガススプリング７ｃのブラケット７４及びスペーサ８７の（軸体８１に沿った）長さの合計に一致又はほぼ一致している。
【００５２】
グリップ部材２７ａ−ｂは、着脱自在にベース部材２に取り付けられている。図２乃至図４等に示すようにベース部材２の縁部２２の近傍には、一対のねじ部２８が離間して立設されている。グリップ部材２７ａ−ｂの下端面にはねじ孔（図示せず）が開設されており、図１等に示す状態では、グリップ部材２７ａ−ｂは、両縁部２４の近傍に立設されたねじ部２９（図１及び図１２参照）と螺合することでベース部材２に取り付けられている。
【００５３】
図１乃至図４等に示す状態からグリップ部材２７ａ−ｂを取り外して、両方のねじ部２８に螺合させると共に、レバー５を軸体４と同一直線上に配置させることで、トレーニング装置１を図１２に示す形態に変形させることができる。当該形態では、グリップ部材２７ａ−ｂを下側にしてベース部材２が鉛直方向に沿うようにしてトレーニング装置１を安定に縦置きすることが可能となる。この際、グリップ部材２７ａ−ｂは、トレーニング装置１の支持足として機能する。このように縦置きできることで、不使用時におけるトレーニング装置１の収納スペースは、著しく低減する。
【００５４】
上記実施形態のトレーニング装置１は、最大で３つのガススプリング７ａ−ｃを装着可能であるが、本考案において、トレーニング装置に装着されるガススプリングの最大数は、３以外であってよく、例えば、トレーニング装置１は、１つのガススプリングのみを有するものであってもよい。
【００５５】
上述したように、上記実施形態のトレーニング装置１では、第２台座２５ｂは、ベース部材２の上面に対して垂直であって軸体４の回転中心軸Ｘを含む面に対して第１台座２５ａと鏡像対称な位置にてベース部材２の上面に配置されている。第１台座２５ａと第２台座２５ｂとに、支持部材８は選択的に取り付けられるが、第１台座２５ａにおける支持部材８の取り付け位置と、第２台座２５ｂにおける支持部材８の取り付け位置とは、基部８２の開口８９の大きさで規定される範囲で調節可能である。つまり、第１台座２５ａのねじ部２６ａ又は第２台座２５ｂのねじ２６ｂが開口８９を規定する縁部の一端と他端とに当接する範囲で、第１台座２５ａと第２台座２５ｂの上における支持部材８の位置は（ベース部材２の長手方向に沿って）調節することができる。
【００５６】
本考案において、支持部材８をベース部材２に着脱自在に固定する機構は、上記実施形態のトレーニング装置１のものに限定されず、本考案の作用効果が得られる限りにおいて任意の固定機構が使用されてよい。上記実施形態のトレーニング装置１とは異なり、第１台座２５ａと第２台座２５ｂの上における支持部材８の位置、或いは、ベース部材２上における支持部材８の（選択可能な）取り付け位置を、一意に定めるような固定機構が使用されてよい。例えば、上記実施形態にて、ねじ部２６ａ−ｂが台座２５ａ−ｂから除去されて、支持部材８の基部８２と台座２５ａ−ｂとがボルト等で固定されてもよい。
【００５７】
上記実施形態のトレーニング装置１では、ベース部材２とアーム部材６との干渉を避けるために、ベース部材２に切欠き２３が形成されているが、切欠き２３の代わりに開口がベース部材２に開設されてもよい。
【００５８】
上記実施形態の説明は、本考案を説明するためのものであって、実用新案登録請求の範囲に記載の考案を限定し、或いは範囲を減縮する様に解すべきではない。また、本考案の各部構成は上記実施形態及び実施例に限らず、実用新案登録請求の範囲に記載の技術的範囲内で種々の変形が可能であることは勿論である。
【符号の説明】
【００５９】
１            トレーニング装置
２            ベース部材
２３          切欠き
２７ａ−ｂ    グリップ部材
３ａ−ｂ      軸受けアセンブリ
３１          軸受け
４            軸体
５            レバー
６            アーム部材
６１          長孔
７ａ−ｃ      ガススプリング
７５          規制部材
８            支持部材
【図１】
0003206326.tif 000003
【図２】
0003206326.tif 000004
【図３】
0003206326.tif 000005
【図４】
0003206326.tif 000006
【図５】
0003206326.tif 000007
【図６】
0003206326.tif 000008
【図７】
0003206326.tif 000009
【図８】
0003206326.tif 000010
【図９】
0003206326.tif 000011
【図１０】
0003206326.tif 000012
【図１１】
0003206326.tif 000013
【図１２】
0003206326.tif 000014